(57)【特許請求の範囲】
【請求項１】
エレベータのカゴ室内に設置されるエレベータ用防犯カメラ装置であって、
前記カゴ室内の天井照明の下部に配置された防犯カメラと、
前記防犯カメラの上部に載置された平面形状の太陽電池パネルとを備え、
前記太陽電池パネルは、前記天井照明からの照射光を電気に変換して前記防犯カメラに電源供給するエレベータ用防犯カメラ装置において、
前記防犯カメラは、撮影した映像信号を外部に送信するための伸縮可能なホイップアンテナを有し、
前記ホイップアンテナは、前記カゴ室の側壁を貫通して前記エレベータの昇降路内に突出するように配設されたことを特徴とするエレベータ用防犯カメラ装置。
【請求項２】
前記太陽電池パネルの上部を覆う集光レンズを備えたことを特徴とする請求項１に記載のエレベータ用防犯カメラ装置。
【発明の詳細な説明】
【技術分野】
【０００１】
この発明は、防犯カメラで撮影される映像信号の信頼性を向上させるとともに、小形化およびコストダウンを実現したエレベータ用防犯カメラ装置に関するものである。
【背景技術】
【０００２】
従来のエレベータ用防犯カメラ装置において、カゴ室内に設置された防犯カメラに対する電源供給は、カゴ上部に載置されたエレベータ機器から行われている。
また、防犯カメラで撮影された映像信号は、同軸ケーブルなどを用いた有線方式で、エレベータ制御用ケーブルを介して、監視室などに設置されたモニタに伝送される。
【０００３】
したがって、一般に、エレベータのカゴ室内に防犯カメラを設置する場合には、防犯カメラとエレベータ機器との間に、電源ケーブルおよび映像信号伝送用ケーブルを配線し、両者を電気的に接続する必要があった。
この結果、各ケーブルの配線を介して、エレベータ機器からの電気的ノイズが防犯カメラに侵入して、防犯カメラで撮影される映像信号の品質を劣化させるうえ、煩わしい配線作業に多大な時間を要するので、映像信号の信頼性が低下するとともに、装置全体の大形化およびコストアップを招くという問題があった。
【０００４】
一方、太陽電池と２次電池とを組み合わせた電源を用いるとともに、映像信号を無線伝送することにより、電源ケーブルおよび映像信号伝送用ケーブルの配線を不要にする技術も提案されている（たとえば、特許文献１参照）。
しかしながら、特許文献１に記載のカメラ装置は、屋外設置を前提としており、エレベータのカゴ室内の監視機能を考慮していないので、エレベータ用防犯カメラ装置として用いることはできない。
【０００５】
【特許文献１】特開２００２−７７８９３号公報
【発明の開示】
【発明が解決しようとする課題】
【０００６】
従来のエレベータ用防犯カメラ装置では、電源ケーブルおよび映像信号伝送用ケーブルを配線が必要となるので、映像信号の信頼性低下、装置全体の大形化およびコストアップを招くという課題があった。
また、特許文献１に記載のカメラ装置は、太陽光の下での使用を前提としており、太陽電池設置による外観性劣化を考慮していないので、エレベータのカゴ室内で適用することができないという課題があった。
【０００７】
この発明は、上記のような課題を解決するためになされたものであり、平面形状のアモルファスシリコン太陽電池パネルを防犯カメラの上部に載置することにより、電源供給用の配線を不要とし、映像信号の信頼性を向上させるとともに、装置全体の小形化およびコストダウンを実現したエレベータ用防犯カメラ装置を得ることを目的とする。
【課題を解決するための手段】
【０００８】
この発明によるエレベータのカゴ室内に設置されるエレベータ用防犯カメラ装置は、カゴ室内の天井照明の下部に配置された防犯カメラと、防犯カメラの上部に載置された平面形状の太陽電池パネルとを備え、太陽電池パネルは、天井照明からの照射光を電気に変換して防犯カメラに電源供給するエレベータ用防犯カメラ装置において、防犯カメラは、撮影した映像信号を外部に送信するための伸縮可能なホイップアンテナを有し、ホイップアンテナは、カゴ室の側壁を貫通してエレベータの昇降路内に突出するように配設されたものである。
【発明の効果】
【０００９】
この発明によれば、可視光線の波長領域に対して光電変換効率の高いアモルファスシリコン太陽電池パネルを用い、アモルファスシリコン太陽電池パネルから防犯カメラに電源供給することにより、電源ケーブルの配線を不要として電気的ノイズの侵入を遮断し、映像信号の信頼性向上、装置全体の小形化およびコストダウンを実現ことができる。
【発明を実施するための最良の形態】
【００１０】
実施の形態１．
図１はこの発明の実施の形態１に係るエレベータ用防犯カメラ装置の防犯カメラ部を示す側面図である。
図１において、エレベータ用防犯カメラ装置の本体となる防犯カメラ１０は、エレベータのカゴ室２２内の側壁２１に設置されている。
【００１１】
防犯カメラ１０のカメラカバー１１内には、カゴ室２２内を撮影するためのボードカメラ１２と、ボードカメラ１２接続された中継装置１３と、可視光波長域で最も効率的に光電変換するアモルファスシリコン太陽電池パネル（以下、単に「太陽電池パネル」という）１４と、カゴ室２２内の天井照明（後述する）からの照射光Ｌを集光して太陽電池パネル１４に照射する集光レンズ１５と、側壁２１から昇降路内に突出するように伸縮可能なホイップアンテナ１６とが設けられている。
【００１２】
中継装置１３は、太陽電池パネル１５で光−電気変換された電気信号Ｅにより電源供給され、太陽電池パネル１５からの供給電力を安定化する安定化回路と、供給電力に基づきボードカメラ１２に直流電源Ｄｐを供給する電源出力回路と、ボードカメラ１２からの映像信号Ｓｉを受信する受信回路と、映像信号Ｓｉを変調してホイップアンテナ１６に出力する送信回路とを備えている。なお、中継装置１３の回路構成は公知なので、個々では図示を省略する。
【００１３】
太陽電池パネル１４は、カメラカバー１１の上部の平面形状部に設けられており、さらに上部が集光レンズ１５により覆われている。集光レンズ１５は、太陽電池パネル１４の面積を増大させることなく高効率で集光するためのデバイスであるが、具体例については、先行文献（たとえば、特許第２９１３０２４号）から公知なのでここでは省略する。
【００１４】
なお、平面形状の太陽電池パネル１４は、カメラカバー１１の上面平板部の外側に配置してもよいが、カメラカバー１１が光透過性の材質であれば、図１のように、カメラカバー１１の内側に配置してもよい。また、カメラカバー１１の上部を開口部としてもよい。
太陽電池パネル１４および集光レンズ１５は、カゴ室２２内の天井照明からの照射光Ｌを効率的に受光するために、図示したように、カゴ室２２内の天井中央部（光源方向）に向けて若干傾斜するように設けられている。
【００１５】
また、太陽電池パネル１４および集光レンズ１５は、外観性を損なう要因となるが、ほぼ球状の防犯カメラ１０の上面部の平面形状部に設けられているので、人間の目線よりも高い位置に設置された防犯カメラ１０であれば、利用客から見られることはなく、外観性を損なうこともない。
【００１６】
図２はこの発明の実施の形態１が適用されるビル内のエレベータ装置全体を示す側面図であり、図１の防犯カメラ１０が設置されたカゴ２０の周辺構成を概略的に示している。
図２において、カゴ室２２内には天井照明２３が設けられ、カゴ２０の上部にはエレベータ機器となるステーション２４が載置されている。
【００１７】
カゴ２０上のステーション２４は、制御ケーブル２５を介して、ビル屋上に設置されたエレベータ制御盤２６に接続され、エレベータ制御盤２６の制御下で、カゴ室２２内への電源供給および各種制御情報の授受を行う。
カゴ２０は、ロープ２７に吊り下げられており、ロープ２７の他端に吊り下げられた釣合錘２８とともに、巻上機２９を介して昇降路３０内を昇降駆動する。
【００１８】
エレベータの昇降路３０内の下端部には、受信用のダイバーシティアンテナ３１が設置されている。
ダイバーシティアンテナ３１には、映像信号伝送用ケーブル３２を介して、監視センタのモニタ（図示せず）が接続されており、監視センタでは、伝送された映像信号に基づくカゴ室２２内の監視が行われる。
【００１９】
カゴ室２２内の天井照明２３は、カゴ室２２内の外観に関与しており、カゴ室２２内を明るくするとともに、太陽光（天気状態や時間帯によって変化する）と違って、常に一定の照度を保持している。
防犯カメラ１０は、カゴ室２２の側壁２１の上部において、天井照明２３の下部に配置されている。防犯カメラ１０内の太陽電池パネル１４（図１参照）は、近距離で受光される天井照明２３からの照射光Ｌを、電気に変換して防犯カメラ１０に電源供給する。
【００２０】
したがって、天井照明２３は、防犯カメラ１０内の太陽電池パネル１４を適正に設置すれば、低消費電力のボードカメラ１２の電源供給に十分寄与することができる。
また、太陽電池パネル１４の上部に集光レンズ１５を併用することにより、演出的な目的で低照度に設定された天井照明２３であっても、防犯カメラ１０への電源供給が可能となる。すなわち、太陽電池パネル１４および集光レンズ１５の組み合わせにより、種々の照度の天井照明２３に対処可能となる。
【００２１】
ホイップアンテナ１６は、防犯カメラ１０の背面からカゴ室２２の側壁２１を貫通してエレベータの昇降路３０内に突出するように配設され、撮影した映像信号Ｓｉに基づく無線信号（電波信号）Ｗを、昇降路内のダーバーシティアンテナ３１に送信する。
【００２２】
このとき、電波信号Ｗは、カゴ２０の側壁２１、昇降路３０内の壁面および釣合錘２８などによって反射されるので、種々の反射波ノイズが発生するが、受信アンテナとしてダイバーシティアンテナ３１を用いているので、反射波ノイズによる映像信号の乱れを回避することができる。
ダイバーシティアンテナ３１で受信された映像信号は、映像信号伝送用ケーブル３２を介して、監視センタのモニタに有線で伝送される。
【００２３】
なお、従来装置においては、カゴ室２２内に防犯カメラ１０を設置した場合、カゴ２０上のステーション２４（エレベータ機器）から防犯カメラ１０への電源供給は、ケーブル接続によって行われ、また、防犯カメラ１０からの映像信号Ｓｉは、ケーブル接続によりステーション２４に伝送され、さらに制御ケーブル２５を介してエレベータ制御盤２６に伝送され、電源供給および信号伝送の両方がケーブル接続で行われている。
【００２４】
これに対し、この発明の実施の形態１によれば、エレベータのカゴ室２２内に設置されるエレベータ用防犯カメラ装置において、カゴ室２２内の天井照明２３の下部に配置された防犯カメラ１０と、防犯カメラ１０の上部に載置された平面形状の太陽電池パネル１４とを備え、太陽電池パネル１４は、天井照明２３からの照射光Ｌを電気に変換して防犯カメラ１０に電源供給するので、防犯カメラ１０とステーション２４（エレベータ機器）とのケーブル接続は不要となる。
【００２５】
これにより、カゴ２０上のステーション２４（エレベータ機器）と、カゴ室２２内の防犯カメラ１０との間のケーブル接続作業が不要となり、防犯カメラ１０の設置時の作業労力を軽減することができる。
すなわち、防犯カメラ１０からの映像信号伝送用ケーブル３２の配線を不要にしつつ、カゴ室２２内に防犯カメラ１０を設置することができる。
【００２６】
また、太陽電池パネル１４で防犯カメラ１０の電源を確保することにより、エレベータ機器との間の電源ケーブルの配線を不要となり、装置全体の小形化およびコストダウンを実現することができる。
【００２７】
また、エレベータ機器からの電源供給用および映像信号伝送用のケーブル接続配線が不要になるので、エレベータ機器から電源ラインを介して侵入する電気的ノイズ（エレベータ運転用のインバータノイズ）や、エレベータ機器から映像信号伝送用ケーブル３２への電磁誘導によって侵入する電気的ノイズ（インバータノイズ）を遮断することができる。
【００２８】
また、この発明の実施の形態１によれば、可視光線の波長領域の光に対して、光電変換効率の高いアモルファスシリコン太陽電池パネル１４を用いたので、カゴ室２２内の天井照明２３からの照射光Ｌであっても、防犯カメラ１０への電源供給が可能となる。
また、太陽電池パネル１４を防犯カメラ１０の上部に載置したので、天井照明２３からの照射光Ｌを効率的に受けて電気変換することができる。
また、太陽電池パネル１４は、平面形状であり、カゴ室２２内の利用客からは見えないので、外観性を損なうこともない。
【００２９】
また、太陽電池パネル１４の上部を覆う集光レンズ１５を設け、集光レンズ１５を通して多くの照射光Ｌを集光して受光可能にしたので、暗い（照度の低い）カゴ室２２内においても、太陽電池パネル１４の面積を特に広げることなく、防犯カメラ１０への電源供給を行うことができる。
また、太陽電池パネル１４を集光レンズ１５で覆うことにより、外観性がさらに向上する。
【００３０】
また、防犯カメラ１０の背面に伸縮可能なホイップアンテナ１６を設け、ホイップアンテナ１６は、カゴ室２２の側壁２１を貫通してエレベータの昇降路３０内（カゴ室２２の外部）に突出するように配設され、ボードカメラ１２で撮影した映像信号Ｓｉを電波信号Ｗとして外部に送信するので、カゴ室２２自体の側壁２１で電波遮断されることなく、カゴ室２２の外部に確実に電波信号Ｗ（映像信号Ｓｉ）を送信することができる。
【００３１】
すなわち、電波信号Ｗは、カゴ室２２の電波遮蔽による影響を受けることがないので、昇降路３０内で無線通信が可能となり、カゴ室２２内での電波遮蔽性を無視することができる。
したがって、低消費電力の微弱な電波信号Ｗであっても、映像信号Ｓｉを外部の受信アンテナに伝送することができる。
【００３２】
また、ホイップアンテナ１６は、伸縮可能なので、防犯カメラ１０の輸送時などの不要時には、カゴ室２２内に収納することができ、搬送の邪魔になることもない。
また、ホイップアンテナ１６から電波信号Ｗ（映像信号Ｓｉ）を外部のダイバーシティアンテナ３１に無線送信する構成としたので、エレベータ機器を経由する映像信号伝送用ケーブルの配線を不要にすることができる。
【図面の簡単な説明】
【００３３】
【図１】この発明の実施の形態１に係るエレベータ用防犯カメラ装置の防犯カメラ部を示す側面図である。
【図２】この発明の実施の形態１が適用されるビル内のエレベータ装置全体を示す側面図である。
【符号の説明】
【００３４】
１０  防犯カメラ、１１  カメラカバー、１２  ボードカメラ、１３  中継装置、１４  太陽電池パネル（アモルファスシリコン太陽電池パネル）、１５  集光レンズ、１６  ホイップアンテナ、２０  カゴ、２１  側壁、２２  カゴ室、２３  天井照明、２４  ステーション（エレベータ機器）、２６  エレベータ制御盤、２７  ロープ、２８  釣合錘、２９  巻上機、３０  昇降路、３１  ダイバーシティアンテナ、３２  映像信号伝送用ケーブル、Ｌ  照射光、Ｅ  電気信号、Ｓｉ  映像信号、Ｗ  電波信号。
【図１】
0005078591.tif 000002
【図２】
0005078591.tif 000003